(57)【要約】【課題】ユーザーの一操作でディスプレイ、ＰＣの各電源を連動させることが可能な表示システムを簡単な構成で実現、提供する。【解決手段】キーボード３とディスプレイ４とを接続する第一の接続手段と、ディスプレイ４とコンピュータ２とを接続する第二の接続手段とを備え、ディスプレイ４は電源スイッチ５の押下に応答して、第二の接続手段を用いてコンピュータ２に起動指示キーまたは遮断指示キーと同一のコードを送付する。【選択図】図１
2009098753.tif 000002
【特許請求の範囲】
【請求項１】
コンピュータと、前記コンピュータへキー入力を行い、且つ前記コンピュータに対して起動指示を行う起動指示キーまたは遮断指示を行う遮断指示キーを有したキーボードと、電源スイッチを有し前記コンピュータのビデオ信号を表示するディスプレイとからなる表示システムであって、
前記キーボードと前記ディスプレイとを接続する第一の接続手段と、前記ディスプレイと前記コンピュータとを接続する第二の接続手段とを備え、
前記ディスプレイは前記電源スイッチの押下に応答して、前記第二の接続手段を用いて前記コンピュータに前記起動指示キーまたは前記遮断指示キーと同一のコードを送付することを特徴とする表示システム。
【請求項２】
前記ディスプレイは、前記第一の接続手段を介して前記キーボードより前記起動指示キーのコードを受信した場合には起動処理を行うとともに、前記第二の接続手段を用いて前記コンピュータに前記起動指示キーと同一のコードを送付し、
前記第一の接続手段を介して前記キーボードより前記遮断指示キーのコードを受信した場合には遮断処理を行うとともに、前記第二の接続手段を用いて前記コンピュータに前記遮断指示キーと同一のコードを送付することを特徴とする請求項１に記載の表示システム。
【請求項３】
前記第一の接続手段が無線接続手段により構成されていることを特徴とする請求項１または２に記載の表示システム。
【発明の詳細な説明】
【技術分野】
【０００１】
本発明は、例えば特にパーソナルコンピュータ（以下ＰＣと称す）の電源をリモート制御するのに好適な表示システムに関る。
【背景技術】
【０００２】
近年、フロントプロジェクタ、リアプロジェクタ、プラズマディスプレイなどの大画面ディスプレイにＰＣを接続し、その画面を表示してプレゼンテーションや電子会議に用いられるシステムが実用化されている。このようなシステムの構成としては、前記大画面ディスプレイ、ＰＣ、および該ＰＣに接続されたキーボード／マウス等で構成されるのが通常である。
【０００３】
また、ＰＣ電源の投入方法として、キーボード Ｗａｋｅｕｐという技術が考案されている。これはキーボードおよびキーボードコントローラ（以下ＫＢＣと称す）に、ＰＣの電源がオフ状態（ＡＣは供給されている状態）でもスタンバイ電源を供給する。特定キー、例えばＷａｋｅｕｐキー、Ｐｏｗｅｒキー、あるいはＣｔｒｌキー＋Ｅｓｃキー等の電源オン指示キーの入力に応じて、システムのメイン電源を投入するという技術である。
【発明の開示】
【発明が解決しようとする課題】
【０００４】
しかしながら上記従来例では、ＰＣの電源スイッチあるいは電源用キーと、ディスプレイの電源スイッチを各々、別々に操作する必要があった。特に大画面ディスプレイがリアプロジェクタなどの大きな筐体を有する場合、ＰＣ、キーボードがその筐体内部に配置されることも多く、ＰＣの電源投入することが困難になっていた。
【０００５】
本発明は上記問題に対処するためになされたものであり、電子会議システム等に最適であり、ユーザーの一操作でディスプレイ、ＰＣの各電源を連動させることが可能な表示システムを簡単な構成で実現、提供することを目的としている。
【課題を解決するための手段】
【０００６】
本発明の表示システムはコンピュータと、前記コンピュータへキー入力を行い、且つ前記コンピュータに対して起動指示を行う起動指示キーまたは遮断指示を行う遮断指示キーを有したキーボードと、電源スイッチを有し前記コンピュータのビデオ信号を表示するディスプレイとからなる表示システムであって、前記キーボードと前記ディスプレイとを接続する第一の接続手段と、前記ディスプレイと前記コンピュータとを接続する第二の接続手段とを備え、前記ディスプレイは前記電源スイッチの押下に応答して、前記第二の接続手段を用いて前記コンピュータに起動指示キーまたは遮断指示キーと同一のコードを送付することを特徴とする。
【発明の効果】
【０００７】
本発明によれば以上の構成により、電子会議システム等に最適であり、ユーザーの一操作でディスプレイ、ＰＣの各電源を連動させることが可能な表示システムを簡単な構成で実現、提供することが可能となる。
【発明を実施するための最良の形態】
【０００８】
本発明は上述のようにコンピュータと、前記コンピュータへキー入力を行い、且つ前記コンピュータに対して起動指示を行う起動指示キーまたは遮断指示を行う遮断指示キーを有したキーボードと、電源スイッチを有し前記コンピュータのビデオ信号を表示するディスプレイとからなる表示システムであって、前記キーボードと前記ディスプレイとを接続する第一の接続手段と、前記ディスプレイと前記コンピュータとを接続する第二の接続手段とを備え、前記ディスプレイは前記電源スイッチの押下に応答して、前記第二の接続手段を用いて前記コンピュータに起動指示キーまたは遮断指示キーと同一のコードを送付することを特徴とする。
【０００９】
また、本発明において前記ディスプレイは、前記第一の接続手段を介して前記キーボードより前記起動指示キーのコードを受信した場合には起動処理を行うとともに、前記第二の接続手段を用いて前記コンピュータに前記起動指示キーと同一のコードを送付し、前記第一の接続手段を介して前記キーボードより前記遮断指示キーのコードを受信した場合には遮断処理を行うとともに、前記第二の接続手段を用いて前記コンピュータに前記遮断指示キーと同一のコードを送付することを特徴とする。
【００１０】
以下、図面を用いて本発明の好適な実施形態を詳細に説明する。本実施形態ではキーボード上の電源オン指示キーとしてＷａｋｅｕｐキーを、電源オフ指示キーとしてＰｏｗｅｒキーを使用する場合を例に説明する。
図１は本発明第１の実施形態である会議システムの概略を示す図である。図において１はプロジェクタ、２はプロジェクタ１にビデオ信号を送出するＰＣ、３はキーボードであり、ＰＣ２およびキーボード３はプロジェクタ１の筐体内部に設置されている。４はプロジェクタ１の表示領域、５はプロジェクタ１の電源スイッチ、６はドアノブであり、このドアノブ６を操作することでプロジェクタ１の下部ドアが開閉して内部にアクセスすることができる。
【００１１】
図２は、本システム全体の概略構成を示すブロック図である。図中、１，２，３，５は図１でも説明したように、それぞれプロジェクタ、ＰＣ、キーボード、電源スイッチである。キーボード３には電源オン指示キーとしてのＷａｋｅｕｐキー、電源オフ指示キーとしてのＰｏｗｅｒキーおよびその他のキーが配置されている。
【００１２】
７はキーボード３から出たキーボードケーブルであり、通常はＰＣ２へ接続されるが、本実施形態ではプロジェクタ１へ接続されている。８はキー信号ケーブルであり、プロジェクタ１とＰＣ２とを接続し、キーボード３からキーボードケーブル７を経由して受信したキーデータをプロジェクタ１からＰＣ２へ転送し、あるいはＰＣ２からキーボード３へのコマンドを中継するために用いられる。９はＰＣ２から出力されるビデオ信号であり、プロジェクタ１へ入力される。
【００１３】
図３はプロジェクタ１の概略内部ブロック図であり、本発明に関わる部分のみ記載してある。図中、１２は電源部であり、スイッチング電源１２１、メイン電源をオン・オフするスイッチ１２２、ＡＣ電力が供給されると自動的に出力されるスタンバイ電源１２３、メイン電源１２４、スイッチ１２２の制御端子１２５等を有している。
【００１４】
１３はワンチップマイコンで構成されるＣＰＵである。出力ポート１３１、入力ポート１３２、キーポート１３３，１３４、プログラムや各種データ、エラーメッセージ等を記憶したＲＯＭ１３５を有する。また、プログラムをロードして実行したり各種ワークとして使用するＲＡＭ１３６、タイマ１３７、システムバス１３８等を有している。
【００１５】
ここで、スタンバイ電源１２３はＣＰＵ１３に供給されており、プロジェクタ１にＡＣ電力が供給されるとスタンバイ電源１２３が出力されて、ＣＰＵ１３が動作を開始する。メイン電源１２４は表示制御部１４を含む不図示の各部へ供給されているが、このメイン電源１２４をオン・オフ制御する制御端子１２５にはＣＰＵ１３の出力ポート１３１が接続され、ＣＰＵ１３の制御下でメイン電源１２４をオン・オフする。入力ポート１３２は前述の電源スイッチ５に接続されており、電源スイッチの押下状況をポーリングするのに使用する。
【００１６】
１４は表示制御部であり、前述のビデオ信号９が入力され、システムバス１３８を介してＣＰＵ１３に接続されてＣＰＵ１３の制御下で動作する。１５はキーボードコネクタであり、前述のキーボードケーブル７が接続され、キーボードケーブル７にて伝送されるキー信号７１が前述のキーポート１３３へ接続されている。１６もキーボードコネクタであり、前述のキー信号ケーブル８が接続され、キー信号ケーブル８にて伝送されるキー信号８１が前述のキーポート１３４へ接続されている。１７はキーボード用電源であり、ＰＣ２からキー信号ケーブル８、キーボードコネクタ１６、キーボードコネクタ１５、キーボードケーブル７を経由してキーボード３へ供給される。
【００１７】
図４はＰＣ２の内部概略構成を示すブロック図である。図中、２０はＰＣ２の全体制御を司るＣＰＵおよびその周辺回路であり、システムバス２６を有している。そして、以下に説明する表示制御部２１からＫＢＣ２４の構成要素は、このシステムバス２６に接続されている。
【００１８】
２１は表示制御部であり、前述のビデオ信号９にてプロジェクタ１へ接続されている。２２はプログラムをロードして実行したり、各種ワークとして使用するメモリ、２３はハードディスク、フレキシブルディスクなどの記憶装置、２４はキーボードコントローラ（以下ＫＢＣと称す）であり、キーボード、マウス（不図示）の制御を司る。２５はキーボードコネクタであり、通常ここにはキーボードが接続されるが、本実施形態では前述のキー信号ケーブル８にてプロジェクタ１と接続されている。
【００１９】
２４１はキー信号であり、ＫＢＣ２４とキーボードコネクタ２５とを結んでいる。このキー信号２４１はキー信号ケーブル８にて伝送されるが、前述したキー信号８１と全く同一の信号である。また、ＫＢＣ２４は電源制御出力２４２も有している。
【００２０】
２８はＯＲゲート素子であり、その入力にはＫＢＣ２４の電源制御出力２４２と、システムバス２６よりシステムからの電源制御出力２６１が接続され、その出力は後述の電源制御端子２７３に接続されている。２７は電源部であり、ＡＣ電力が供給されると出力されるスタンバイ電源２７１、メイン電源２７２、およびメイン電源をオン・オフする電源制御端子２７３とを有している。
【００２１】
スタンバイ電源２７１はＯＲゲート２８、ＫＢＣ２４、キーボードコネクタ２５等へ供給され、メイン電源２７２はＰＣ２の各部に供給される。キーボードコネクタ２５へ供給されたスタンバイ電源２７１は、キー信号ケーブル８、プロジェクタ１、キーボードケーブル７を経由して、最終的にキーボード３へ供給されている。また、前述の電源制御出力２４２と電源制御出力２６１とはどちらも正のパルス出力である。それをＯＲゲート２８でＯＲをとって電源制御端子２７３へ出力しており、電源制御端子２７３は正パルスでオンとオフがトグルするようになっている。
【００２２】
以上の構成により、ＫＢＣ２４はキー信号２４１にてＷａｋｅｕｐキーの入力を受け取ると、電源制御出力２４２により、ＯＲゲート素子２８を経由してメイン電源２７２をオンにしてＰＣ２を起動することが可能である。
【００２３】
ここでキーボード３からＰＣ２までの一般キーのキーデータの経路を説明する。電源オン指示キーとしてのＷａｋｅｕｐキー、電源オフ指示キーとしてのＰｏｗｅｒキーは動作が多少異なるので、以降で詳細に説明する。
まず、キーボード３上のキーが押下されると、キーボード３、キーボードケーブル７、キーボードコネクタ１５、キー信号７１、キーポート１３３と転送されてＣＰＵ１３で処理される。キーポート１３４、キー信号８１、キーコネクタ１６、キー信号ケーブル８、キーボードコネクタ２５、キー信号２４１→ＫＢＣ２４と転送される。ＫＢＣ２４ではキーデータをＰＣ２の内部コードに変換し、システムバス２６を介して最終的にはＣＰＵ２０によって処理される。
【００２４】
以上の構成による本システムの動作を以下に述べる。最初にシステム全体を起動する際の動作について説明する。
図５はプロジェクタ１の動作を説明するフローチャートであり、本発明に関わる部分を中心に記載してある。本フローチャートは、ステップＳ１００でプロジェクタ１にＡＣパワーが供給された所から始まっている。
【００２５】
ＡＣパワーが供給されると、ステップＳ１０１でＣＰＵ１３に対して電源１２３が供給され、ＣＰＵ１３が動作を開始する（ステップＳ１０２）。動作を開始したＣＰＵ１３は、ステップＳ１０３で入力ポート１３２を介して電源スイッチ５の状態を読出し、スイッチ５が押下されていればステップＳ１０５へ、押下されていなければステップＳ１０４へ進む。
【００２６】
ステップＳ１０４では後述する図９のサブルーチンを呼び出し、Ｗａｋｅｕｐキーが押下されて、ＲＡＭ１３６にＷａｋｅｕｐキー情報がストアされているかどうかのチェックを行う。ＲＡＭ１３６にＷａｋｅｕｐキー情報がストアされていれば、すなわちＷａｋｅｕｐキーが押下されていればステップＳ１０５へ進み、ストアされていなければ、すなわちＷａｋｅｕｐキーが押下されていなければステップＳ１０３へ戻る。
【００２７】
その結果、電源スイッチ５かあるいはＷａｋｅｕｐキーが押下されるまで、ステップＳ１０３，Ｓ１０４でループし、電源スイッチ５かあるいはＷａｋｅｕｐキーが押下されたらステップＳ１０５へ進む。このステップＳ１０３，Ｓ１０４でのループがＡＣパワー供給後の電源オフ状態であり、電源１２３は供給されているが、メインの電源である電源１２４は供給されていない。
【００２８】
電源スイッチ５かあるいはＷａｋｅｕｐキーが押下されてステップＳ１０５に進むと、ＣＰＵ１３は出力ポート１３１を操作して、電源部１２のスイッチ１２２をオンにし、メイン電源である電源１２４をプロジェクタ１の各部に供給開始する。続いてステップＳ１０６で、ＣＰＵ１３はキーポート１３４を用いてＷａｋｅｕｐキーコードをＰＣ２へ送出し、ステップＳ１０７へ進む。すなわち、Ｗａｋｅｕｐキーが押下された時はもちろん、電源スイッチ５が押下された時にもＷａｋｅｕｐキーコードをＰＣ２に対し送出する。
【００２９】
ステップＳ１０７では、表示制御部１４に対してＰＣ２からビデオ信号９が送出されているかどうかのチェックを行ない、送出されていればステップＳ１１５へ進んで通常動作を開始する。ステップＳ１０７でビデオ信号９がＰＣ２より送出されているということは、ＰＣ２の電源が投入され、正常に動作を開始したということである。
ステップＳ１０７でビデオ信号が送出されていない場合には、ステップＳ１０８へ進む。
【００３０】
ステップＳ１０８ではＣＰＵ１３内のタイマ１３７を使用し、所定時間（例えばこの場合２分間）を計測する。すなわち、２分以内であればステップＳ１０７へ戻って、ステップＳ１０７，Ｓ１０８でループを行ない、２分間を過ぎた場合にはステップＳ１０９へ進む。ここで、２分間のタイムアウトをしてステップＳ１０９へ来る場合は、何らかの原因でＰＣ２が正常に動作していないと判断される場合である。よってステップＳ１０９では、表示制御部１４を制御してプロジェクタ１の表示領域４へ、例えば『ビデオ信号が来ていません。パーソナルコンピュータをご確認下さい。』といったエラーメッセージを表示した後、ステップＳ１１０へ進む。ステップＳ１１０では、再度ビデオ信号９のチェックを行なう。
【００３１】
ステップＳ１０９でのエラー表示を確認したユーザーが、エラーの原因を取り除いた場合には、ビデオ信号９がＰＣ２から送出され始める。ステップＳ１１１へ進んでエラー表示をクリアした後、ステップＳ１１５で通常動作を開始する。
ステップＳ１１０でビデオ信号９が送出されない場合には、ステップＳ１１２へ進んで電源スイッチ５が押下されていないかをチェックする。押下されていればステップＳ１１４へ進み、押下されていない場合にはステップＳ１１３へ進む。
【００３２】
ステップＳ１１３ではやはり図９のサブルーチンを呼び出し、Ｐｏｗｅｒキーが押下されて、ＲＡＭ１３６にＰｏｗｅｒキー情報がストアされているかどうかのチェックを行う。ＲＡＭ１３６にＰｏｗｅｒキー情報がストアされていれば、すなわちＰｏｗｅｒキーが押下されていればステップＳ１１４へ進む。ストアされていなければ、すなわちＰｏｗｅｒキーが押下されていなければステップＳ１１０へ戻る。
【００３３】
その結果、ビデオ信号９が送出されるか、あるいは電源スイッチ５かＰｏｗｅｒキーが押下されるまでステップＳ１１０，Ｓ１１２，Ｓ１１３でループする。ステップＳ１１２で、電源スイッチ５が押下されたと判断した場合、あるいはステップＳ１１３でＰｏｗｅｒキーが押下されたと判断した場合にはステップＳ１１４へ進む。出力ポート１３１により電源１２４を遮断して、ステップＳ１０３へ戻る。ステップＳ１０３，Ｓ１０４でのループは前述のように電源オフ状態である。
【００３４】
以上述べたように、プロジェクタ１は所定時間内にビデオ信号９が送出された場合には通常動作を行ない、所定時間を超えてもビデオ信号９が送出されない場合にはエラーメッセージを表示する。さらに、エラーメッセージ表示後にビデオ信号９が送出された場合にはエラー表示をクリアした後通常動作を行ない、電源スイッチ５かあるいはＰｏｗｅｒキーが押下された場合には電源をオフするように動作する。
【００３５】
図９は前述のステップＳ１０３、およびステップＳ１１３で呼び出される、プロジェクタ１のサブルーチンである。本プログラムが呼び出されると（ステップＳ１８０）、ステップＳ１８１で本プログラムが使用するＲＡＭ１３６領域をクリアし、ステップＳ１８２へ進む。ステップＳ１８２ではキーポート１３３を用いて、キーボード３からのキーデータの有無をチェックする。
【００３６】
キーデータが無ければステップＳ１８６で呼び出し元のプログラムへ戻り、キーデータが存在したらステップＳ１８３へ進む。ステップＳ１８３では存在したキーデータがＷａｋｅｕｐ、あるいはＰｏｗｅｒであればステップＳ１８４へ進み、それ以外であればステップＳ１８５へ進む。ステップＳ１８４ではステップＳ１８３で検出したＷａｋｅｕｐ、あるいはＰｏｗｅｒのキーコードを、ステップＳ１８１でクリアした所定のＲＡＭ１３６上へストアしてステップＳ１８６で呼び出し元のプログラムへ戻る。
【００３７】
ステップＳ１８５ではステップＳ１８３で検出したキーコードを、キーポート１３４を用いてＰＣ２へ転送してステップＳ１８６で呼び出し元のプログラムへ戻る。すなわち、本プログラムではキーボード３上のキーが押下されて送出されたデータが、ＷａｋｅｕｐあるいはＰｏｗｅｒの場合にはそのデータをＲＡＭ１３６上へストアし、それ以外のコードであればそのままＰＣ２へ転送するように動作する。
【００３８】
図６はＰＣ２の動作を説明するフローチャートであり、本発明に関わる部分を中心に記載してある。本フローチャートはステップＳ２００でＰＣ２にＡＣパワーが供給された所から始まっている。
【００３９】
ＡＣ電力が供給されると、ステップＳ２０１でスタンバイ電源２７１が供給開始され、ＫＢＣ２４、キーボード３等に給電が開始される（ステップＳ２０２）。給電されたＫＢＣ２４はキーボード３と通信を開始し、Ｗａｋｅｕｐキーコードを受信するまでステップＳ２０３でループする。このステップＳ２０３でのループがＡＣパワー供給後の電源オフ状態である。
【００４０】
ステップＳ２０３でＫＢＣ２４はＷａｋｅｕｐキーコードを受け取ると、電源制御出力２４２によりＯＲゲート素子２８を経由して電源部２７へ指示を送り、メイン電源２７２をオンにしてＰＣ２を起動する（ステップＳ２０４）。以降はステップＳ２０５より通常動作を開始する。
【００４１】
以上述べた中で、ステップＳ２０３でＷａｋｅｕｐキーコードを受け取るのは図５のステップＳ１０６を受けてのことである。すなわち、プロジェクタ１が電源スイッチ５あるいはＷａｋｅｕｐキーの押下を検出して（ステップＳ１０３あるいはＳ１０４）ステップＳ１０６でＰＣ２に対してＷａｋｅｕｐキーコードを送信する。それを受けたＰＣ２はステップＳ２０３でそれを検出し、ステップＳ２０４でＰＣ２の起動処理を実行している。
【００４２】
以上述べてきたように、プロジェクタ１の電源スイッチ５あるいはキーボード３のＷａｋｅｕｐキーの押下に応じて、プロジェクタ１起動→プロジェクタ１からＰＣ２へＷａｋｅｕｐキーコード送出→ＰＣ２起動、のように連動する。
【００４３】
続いて、システム全体を終了する際の動作について説明する。図７はプロジェクタ１の動作を説明するフローチャートであり、本発明に関わる部分を中心に記載してある。本フローチャートは不図示のメインフローで電源スイッチ５の押下を検出した所、あるいは図９のサブルーチンを呼び出してＰｏｗｅｒキーの押下を検出した所から始まっている（ステップＳ１５０）。
【００４４】
電源スイッチ５あるいはＰｏｗｅｒキーが押下されると、ステップＳ１５１でＰＣ２に対しキーポート１３４を用いてＰｏｗｅｒキーのコードを送出する。続いてステップＳ１５２でビデオ信号９のチェックを行ない、ビデオ信号９が消滅していればステップＳ１５６へ進んでプロジェクタ１の終了処理を行なう。
【００４５】
ステップＳ１５２でＰＣ２よりのビデオ信号９が消滅しているということはＰＣ２が正常に終了したということである。ステップＳ１５２でビデオ信号９が消滅していない場合には、ステップＳ１５３へ進む。ステップＳ１５３ではＣＰＵ１３内のタイマ１３７を使用し、所定時間（例えばこの場合２分）を計測する。すなわち、２分間以内であればステップＳ１５２へ戻って、ステップＳ１５２，Ｓ１５３でループを行ない、２分間を過ぎた場合にはステップＳ１５４へ進む。
【００４６】
ここで、２分間のタイムアウトをしてステップＳ１５４へ来る場合は、何らかの原因でＰＣ２が正常に終了していないと判断される場合である。よってステップＳ１５４では、表示制御部１４を制御する。プロジェクタ１の表示領域４へ、例えば『パーソナルコンピュータが終了していません。ご確認下さい。』といったエラーメッセージを表示した後、ステップＳ１５５へ進む。ステップＳ１５５では、再度ビデオ信号９のチェックを行なう。
【００４７】
ステップＳ１５４でのエラー表示を確認したユーザーが、エラーの原因を取り除いた場合には、ＰＣ２が終了しビデオ信号９が消滅するので、やはりステップＳ１５６へ進んでプロジェクタ１の終了処理を行なう。ステップＳ１５６で終了処理を終えた後は、ステップＳ１５７に進んで出力ポート１３１を用いて電源１２４を遮断し、図５のステップＳ１０３へ戻る。このステップＳ１０３でのループは前述のように電源オフ状態である。
【００４８】
以上述べたように、プロジェクタ１は所定時間内にビデオ信号９が消滅した場合には通常の終了動作を行ない、所定時間を超えてもビデオ信号９が消滅しない場合にはエラーメッセージを表示する。さらに、エラーメッセージ表示後にもビデオ信号のチェックを行なって、やはりビデオ信号９が消滅した場合には終了動作を行なう。
【００４９】
図８はＰＣ２の動作を説明するフローチャートであり、本発明に関わる部分を中心に記載してある。ＰＣ２は前述のプロジェクタ１からのＰｏｗｅｒキーコードの送付を受け、遮断処理を実行する必要がある。ここでは、これに対応した遮断ソフトウェアをＰＣ２に常駐させておくことでこの処理を実行する。なお、遮断ソフトウェアはＰＣ２が起動し、オペレーションシステム（以下ＯＳ）が動作開始したところで自動的に起動、常駐するようにしておく必要がある。
【００５０】
本フローはプロジェクタ１からのＰｏｗｅｒキーコードを該遮断ソフトウェアが検出したところから始まっている（ステップＳ２５０）。まずステップＳ２５１ではＰＣ２の終了処理を行なう。すなわち動作中のプログラムがあればそれを終了し、ＯＳ自体の終了を行なう。
【００５１】
次のステップＳ２５２ではシステムからの電源制御出力２６１により、ＯＲゲート素子２８を経由して電源部２７を制御し、メイン電源２７２を遮断する。メイン電源２７２の遮断後は図６のステップＳ２０３に戻る。前述したように、このステップＳ２０３でのループは電源オフ状態である。
【００５２】
また、本フローが開始するのは、図７のステップＳ１５１を受けてのことである。すなわち、プロジェクタ１が電源スイッチ５あるいはＰｏｗｅｒキーの押下を検出する。ステップＳ１５１でキーポート１３４を用いてＰＣ２に対してＰｏｗｅｒキーコードを送付し、それを受けたＰＣ２は本フローを開始している。
【００５３】
以上述べたように、プロジェクタ１の電源スイッチ５あるいはキーボード３のＰｏｗｅｒキーの押下に応じる。プロジェクタ１からＰＣ２へＰｏｗｅｒキーコード送出、ＰＣ２のシャットダウン、プロジェクタ１の遮断のように連動する。
【００５４】
以上述べて来たように、電源スイッチ５あるいはＷａｋｅｕｐキー、Ｐｏｗｅｒキーに対してプロジェクタ１、ＰＣ２の電源を連動させるシステムが実現可能となる。これによりプロジェクタ１の筐体内部にＰＣが配置されている場合でも、プロジェクタ１内部にアクセスする必要がない。また、起動時にはＰＣ２からプロジェクタ１へのビデオ信号出力を確認し、遮断時にはＰＣ２からプロジェクタ１へのビデオ信号消滅を確認することで、正常な電源連動が確認できる。逆に異常状態も検出できるので、異常時にプロジェクタ１にエラーメーッセージを表示することが可能となり、ユーザーにエラーの発生を知らしめることが可能なシステムを実現できる。
【００５５】
（第２の実施形態）
以上の実施形態では、プロジェクタ１とキーボード３とをキーボードケーブルにて接続する場合を例に説明したが、この部分を無線化（無線接続）することもできる。以下に図面を用いてこの場合の実施形態を説明する。
【００５６】
図１０は、本システム全体の概略ブロック図であり、第１の実施形態のシステム全体の概略ブロック図である図２とは同一要素に同一番号を付してある。以下では図３と異なる部分のみ説明する。図中、３１は無線キーボードであり、無線制御部３２と電源オン指示キーとしてのＷａｋｅｕｐキー、電源オフ指示キーとしてのＰｏｗｅｒキー、およびその他のキーが配置されている。
【００５７】
キーボード３１は無線化されて電源供給が不能なので、不図示のバッテリーにて動作する。４０は無線ユニットであり、キーボード３１の無線制御部３２と無線信号４１で接続される他、ケーブル４２にてプロジェクタ１に接続されている。無線ユニット４０には、ＰＣ２よりキー信号ケーブル８、プロジェクタ１、ケーブル４２を介してキーボード用電源が供給されて動作する。
【００５８】
また、第１の実施形態ではキーボード３とプロジェクタ１とを有線接続する例で説明したが、本実施形態では無線ユニット４０とキーボード３１との接続を無線により実現する。このため無線ユニット４０の配置には、例えばプロジェクタ１の筐体内部に配置する等の制約が残るものの、キーボード３１をプロジェクタ１から離れた位置で操作することが可能となる。
【００５９】
ここでキーボード３からＰＣ２までのＷａｋｅｕｐ、Ｐｏｗｅｒキー以外の一般キーのキーデータの経路を説明しておく。まず、キーボード３１上のキーが押下されると、キーボード３１の無線制御部３２、無線信号４１、無線ユニット４０、ケーブル４２、キーボードコネクタ１５、キー信号７１、キーポート１３３と転送されてＣＰＵ１３で処理される。キーポート１３４、キー信号８１、キーコネクタ１６、キー信号ケーブル８、キーボードコネクタ２５、キー信号２４１、ＫＢＣ２４と転送される。ＫＢＣ２４ではキーデータをＰＣ２の内部コードに変換し、システムバス２６を介して最終的にはＣＰＵ２０によって処理される。
【００６０】
データ経路としては、その動作は第１の実施形態と同一なので以下の説明は省略する。以上述べたように、プロジェクタ１内部にアクセスする必要がないばかりでなく、離れた位置から、無線キーボード上のＷａｋｅｕｐキー、Ｐｏｗｅｒキーによってプロジェクタ１、ＰＣ２の電源を連動させるシステムが実現可能となる。
【００６１】
（他の実施形態）
以上の実施形態ではＰＣ２に図８に示したプログラムを常駐させておく場合を例に説明した。しかしながら、近年、パーソナルコンピュータのシステムには、ＡＣＰＩ（Ａｄｖａｎｃｅｄ  Ｃｏｎｆｉｇｕｒａｔｉｏｎ ａｎｄ  Ｐｏｗｅｒ  Ｉｎｔｅｒｆａｃｅ）と呼ばれる機能が組み込まれている。よって、これに対応したＯＳでは特定キーによるシステムの終了が可能である。よって、前述の常駐プログラムなしに、Ｐｏｗｅｒキーによる終了動作を実現することもできる。
【００６２】
また、以上の実施形態では電源オン指示キーとしてＷａｋｅｕｐキーを、電源オフ指示キーとしてＰｏｗｅｒキーを使う場合を例に説明したが、これらのキーに限定されるものではない。例えばＣｔｒｌキー＋Ｅｓｃキーといったキーの組合せを前記指示キーとして用いても良いし、電源オン指示キーと電源オフ指示キーとを同一のキーで実現することも可能である。
【００６３】
以上述べたように電源スイッチあるいは電源オン指示キー、電源オフ指示キーに対してディスプレイとＰＣの電源を連動させるシステムが実現可能となる。ディスプレイの筐体内部にＰＣが配置されている場合でもディスプレイ内部にアクセスする必要がない。また、ディスプレイとＰＣの電源を連動させるシステムが実現可能となる。また、起動時にはＰＣからディスプレイへのビデオ信号出力を確認し、遮断時にはＰＣからディスプレイへのビデオ信号消滅を確認することで、正常な電源連動が確認できる。逆に異常状態も検出できるので、異常時にディスプレイにエラーメッセージを表示することが可能となり、ユーザーにエラーの発生を知らしめることが可能なシステムを実現できる。
【図面の簡単な説明】
【００６４】
【図１】本発明第１の実施形態の全体構成を示す図である。
【図２】本発明第１の実施形態の全体構成を説明する図である。
【図３】本発明第１の実施形態のプロジェクタの構成を示す図である。
【図４】本発明第１の実施形態のパーソナルコンピュータの構成を示す図である。
【図５】本発明第１の実施形態のプロジェクタの動作を説明する図である。
【図６】本発明第１の実施形態のパーソナルコンピュータの動作を説明する図である。
【図７】本発明第１の実施形態のプロジェクタの動作を説明する図である。
【図８】本発明第１の実施形態のパーソナルコンピュータの動作を説明する図である。
【図９】本発明第１の実施形態のプロジェクタの動作を説明する図である。
【図１０】本発明第２の実施形態の全体構成を説明する図である。
【符号の説明】
【００６５】
１  プロジェクタ
２  パーソナルコンピュータ
３  キーボード
４  プロジェクタの表示領域
５  電源スイッチ
７  キーボードケーブル
８  キー信号ケーブル
９  ビデオ信号
１２  プロジェクタの電源部
１３  プロジェクタのＣＰＵ
１４  プロジェクタの表示制御部
２０  パーソナルコンピュータのＣＰＵ
２１  パーソナルコンピュータの表示制御部
２４  パーソナルコンピュータのキーボードコントローラ
２７  パーソナルコンピュータの電源部
３１  無線キーボード
４０  無線ユニット
１３１  ＣＰＵ１３の出力ポート
１３２  ＣＰＵ１３の入力ポート
１３３，１３４  ＣＰＵ１３のキーポート
１３７  ＣＰＵ１３のタイマである。
【図１】
2009098753.tif 000003
【図２】
2009098753.tif 000004
【図３】
2009098753.tif 000005
【図４】
2009098753.tif 000006
【図５】
2009098753.tif 000007
【図６】
2009098753.tif 000008
【図７】
2009098753.tif 000009
【図８】
2009098753.tif 000010
【図９】
2009098753.tif 000011
【図１０】
2009098753.tif 000012